(57)【要約】【課題】摺接パターン間のマイグレーションが防止でき、弾性部材によって確実にスライド移動体を自動復帰位置に自動復帰でき、精度の高い位置検出が可能で小型化が図れる電子部品を提供する。【解決手段】摺動冊子９３，９３を設けた摺動子９０を一体成形してなるスライド移動体７０と、スライド移動体７０を収納する移動体収納部３３の底面にフレキシブル回路基板１０に設けた摺接パターン２３，２５が露出するようにフレキシブル回路基板１０を一体成形してなるケース３０と、スライド移動体７０の両摺動冊子９３，９３の間に配置されスライド移動体７０を自動復帰位置方向に弾発する圧縮コイルバネ１００と、カバー１２０とを具備する。フレキシブル回路基板１０表面に密着して両摺接パターン２３，２５間を仕切る仕切り部３５をケース３０と一体成形にて設ける。仕切り部３５のガイド面３９に圧縮コイルバネ１００を載置する。【選択図】図３
2009158305.tif 000002
【特許請求の範囲】
【請求項１】
摺動子に並列に設けた一対の摺動冊子を外部に突出するようにこの摺動子を一体成形してなるスライド移動体と、
前記スライド移動体をスライド自在に収納する移動体収納部を有し、この移動体収納部の底面に回路基板に設けた一対の摺接パターンが露出するようにこの回路基板を一体成形してなるケースと、
前記スライド移動体から突出する一対の摺動冊子の間に配置されこのスライド移動体を自動復帰位置方向に向けて弾発する弾性部材と、
前記ケースの移動体収納部を覆うカバーと、を具備し、
前記ケースの移動体収納部の底面に露出する前記一対の摺接パターンの間の回路基板表面に密着して両摺接パターン間を仕切る仕切り部をケースと一体成形にて設けたことを特徴とする電子部品。
【請求項２】
前記仕切り部に前記弾性部材を載置することを特徴とする請求項１に記載の電子部品。
【請求項３】
前記スライド移動体の前記弾性部材を配置するその両側位置に弾性部材の圧縮方向に向けて突出する一対のストッパー部を設け、
一方前記ケースの仕切り部の左右両側部分の一部に前記ストッパー部に対向するストッパー受け部を設けたことを特徴とする請求項１又は２に記載の電子部品。
【請求項４】
前記ケースの仕切り部の左右両側辺を、前記スライド移動体の一対のストッパー部間に嵌め込んでスライド移動体の移動をガイドするスライドガイド辺としたことを特徴とする請求項３に記載の電子部品。
【請求項５】
前記ケースには、このケースの外周から突出してその内部に取付係合部を有する取付部が一体に成形されていることを特徴とする請求項１又は２又は３又は４に記載の電子部品。
【発明の詳細な説明】
【技術分野】
【０００１】
本発明は、各種電子機器の各種検出スイッチ等として用いて好適な電子部品に関するものである。
【背景技術】
【０００２】
従来、各種電気機器の各部に取り付けられる検出スイッチ、例えばコンパクトディスクやミニディスクや各種カード等が挿入されたことや、開閉扉が開閉されたこと等を検出するスイッチとして、小型の検出スイッチが利用されている。この種の検出スイッチは例えば特許文献１に示すように、一対のスイッチパターンを設けたスイッチ基板上に、前記スイッチパターンに摺接する摺動子を取り付けたスライド移動体及びこのスライド移動体を一方向に向けて弾発する弾性部材を設置し、これらスライド移動体と弾性部材をケース内に収納して構成されている。
【０００３】
しかしながら上記従来の検出スイッチには、以下のような問題点があった。
（１）検出スイッチのさらなる小型化の要望に対し、これに答えることが困難となっていた。即ち例えば検出スイッチをさらに小型化しようとすると、スイッチ基板上に形成する一対のスイッチパターンの離間距離（沿面距離）が狭くなり、両スイッチパターン間にマイグレーションを生じる恐れが大きくなってしまう。特にスイッチパターンとして銀を用いた場合、マイグレーションが生じ易く、大きな問題となる。これを防止するにはマイグレーション防止手段を別途設けなければならないが、そうすると構造が複雑になり、却って小型化が阻害されてしまう。また例えば弾性部材の設置場所をスライド移動体の側部に設置したような場合、スライド移動体を弾発する力は一側部に偏ってしまうが、検出スイッチを小型化するために弾性部材を小型化した場合はその弾発力も弱くなるため、前記弾発力の偏りによってスライド移動体を確実且つスムーズに自動復帰位置に自動復帰させることができなくなる恐れがある。
【０００４】
（２）別部品であるケースとスライド移動体とスイッチ基板とを組み立てた際に、各部品間にそれぞれ組立誤差が生じてこれらの誤差が加算され、このため摺動子がスイッチ基板のスイッチパターンに摺接する（オンオフする）位置にずれが生じてしまい、精度の高い位置検出ができなくなる。この問題は特に検出スイッチが小型化され、スライド移動体のストロークが短くなって前記ズレが無視できない寸法になった場合に大きくなる。
【特許文献１】特開２００６−２９４５８６号公報
【発明の開示】
【発明が解決しようとする課題】
【０００５】
本発明は上述の点に鑑みてなされたものでありその目的は、スイッチパターン等の摺接パターン間のマイグレーションを防止でき、自動復帰用の弾性部材による弾発力が弱くなっても確実にスライド移動体を自動復帰位置に自動復帰させることができ、また摺動子とスイッチパターン間にズレが生じにくくて精度の高い位置検出が可能となり、これらのことから小型化を図ることができる電子部品を提供することにある。
【課題を解決するための手段】
【０００６】
本願請求項１に記載の発明は、摺動子に並列に設けた一対の摺動冊子を外部に突出するようにこの摺動子を一体成形してなるスライド移動体と、前記スライド移動体をスライド自在に収納する移動体収納部を有し、この移動体収納部の底面に回路基板に設けた一対の摺接パターンが露出するようにこの回路基板を一体成形してなるケースと、前記スライド移動体から突出する一対の摺動冊子の間に配置されこのスライド移動体を自動復帰位置方向に向けて弾発する弾性部材と、前記ケースの移動体収納部を覆うカバーと、を具備し、前記ケースの移動体収納部の底面に露出する前記一対の摺接パターンの間の回路基板表面に密着して両摺接パターン間を仕切る仕切り部をケースと一体成形にて設けたことを特徴とする電子部品にある。
【０００７】
本願請求項２に記載の発明は、前記仕切り部に前記弾性部材を載置することを特徴とする請求項１に記載の電子部品にある。
【０００８】
本願請求項３に記載の発明は、前記スライド移動体の前記弾性部材を配置するその両側位置に弾性部材の圧縮方向に向けて突出する一対のストッパー部を設け、一方前記ケースの仕切り部の左右両側部分の一部に前記ストッパー部に対向するストッパー受け部を設けたことを特徴とする請求項１又は２に記載の電子部品にある。
【０００９】
本願請求項４に記載の発明は、前記ケースの仕切り部の左右両側辺を、前記スライド移動体の一対のストッパー部間に嵌め込んでスライド移動体の移動をガイドするスライドガイド辺としたことを特徴とする請求項３に記載の電子部品にある。
【００１０】
本願請求項５に記載の発明は、前記ケースには、このケースの外周から突出してその内部に取付係合部を有する取付部が一体に成形されていることを特徴とする請求項１又は２又は３又は４に記載の電子部品にある。
【発明の効果】
【００１１】
請求項１に記載の発明によれば、ケースと一体に設けた仕切り部に、両摺接パターン間のマイグレーション防止機能を持たせることができる。従って両摺接パターン間の間隔を狭くできる。また弾性部材をスライド移動体の両摺動冊子の間に配置したので、弾性部材によるスライド移動体の弾発が左右に偏ることなくバランス良く行え、従って例え弾性部材の弾発力が弱くても確実にスライド移動体を自動復帰位置に自動復帰させることができるばかりか、弾性部材を別の場所に配置した場合に比べて電子部品の小型化が図れる。さらに摺動子はスライド移動体に一体成形され、且つ摺接パターンを設けた回路基板はケースに一体成形されているので、組み立ての際にズレが生じるのはケースとスライド移動体の間のみとなり、従って摺動子と摺接パターン間にズレが生じにくくて精度の高い位置検出が可能となる。これらのことから電子部品の小型化を図ることができる。
【００１２】
請求項２に記載の発明によれば、ケースと一体に設けた仕切り部に、マイグレーション防止機能の他に、弾性部材の載置機能を併せ持たせることができる。従って両摺接パターン間の間隔を狭くできる効果の他に、弾性部材の伸縮時にこれをガイドできる効果を有する。
【００１３】
請求項３に記載の発明によれば、ケースの仕切り部にさらにストッパーの機能を兼用させることができる。しかも弾性部材の両側に一対設けるのでバランスが良くまた一対なので強度も強く、例え電子部品が小型化しても確実にスライド移動体の移動を係止できる。
【００１４】
請求項４に記載の発明によれば、ケースの仕切り部にさらにスライド移動体の移動をガイドする移動ガイド機能を兼用させることができる。
【００１５】
請求項５に記載の発明によれば、ケースに、ケースの外周から突出してその内部に取付係合部を有する取付部を一体に成形したので、たとえこの電子部品が極めて小さくても、簡単な構造で相手方の所望の部材に取付係合部の部分を用いて正確に位置決めして取り付けることができる。
【発明を実施するための最良の形態】
【００１６】
以下、本発明の実施形態を図面を参照して詳細に説明する。図１は本発明の１実施形態にかかる電子部品１を上側から見た斜視図、図２は電子部品１を下側から見た斜視図、図３は電子部品１を上側から見た分解斜視図、図４は電子部品１を下側から見た分解斜視図である。これらの図に示すように電子部品１は、回路基板（以下「フレキシブル回路基板」という）１０を一体成形してなるケース３０の移動体収納部３３内に、摺動子９０を一体成形してなるスライド移動体７０と、弾性部材（以下「圧縮コイルバネ」という）１００とを収納し、ケース３０の移動体収納部３３をカバー１２０で覆って構成されている。以下各構成部品について順に説明する。なお以下の説明において、「上」とはケース３０からカバー１２０側を向く方向をいい、「下」とはその反対側を向く方向をいうものとする。
【００１７】
図５はフレキシブル回路基板１０の斜視図である。同図に示すようにフレキシブル回路基板１０は、可撓性を有する合成樹脂フイルム１１上に所望の回路パターンを設けて構成されており、略矩形状でケース３０と略同一外形形状の基板本体部１３と基板本体部１３の外周辺に帯状に接続される引出部１５とを有している。基板本体部１３の３つの位置には矩形状の開口部１７，１９，２１が設けられ、また基板本体部１３の表面（図５の上面）の所定位置に一対の摺接パターン２３，２５が形成されている。合成樹脂フイルム１１はこの実施形態ではポリエチレンテレフタレート（ＰＥＴ）フイルムを用いているが、熱可塑性、熱硬化性、光硬化性の他の各種合成樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を用いても良い。
【００１８】
フレキシブル回路基板１０の開口部１７は下記するケース３０の仕切り部３５に対向する位置に設けられており、開口部１９は下記するケース３０の貫通孔６９に対向する位置に設けられており、開口部２１は下記するケース３０の貫通孔６８に対向する位置に設けられている。また一対の摺接パターン２３，２５は矩形状であって前記開口部１７，１９を挟んだその両側位置にそれぞれ設けられており、下記するスライド移動体７０のスライド移動方向Ａに向かう長さを異ならせることで、スイッチパターン（オンオフパターン）を構成している。一方の長い方の摺接パターン２３がコモン側のスイッチパターンとなっている。摺接パターン２３，２５は例えば導電ペーストを印刷（例えばスクリーン印刷）することによって形成しても良いし、貼り付けた金属箔のエッチングによって形成しても良いし、蒸着によって形成しても良いし、さらにその他の各種方法によって形成しても良い。この実施形態では、銀ペーストをスクリーン印刷することによって摺接パターン２３，２５を形成しており、従って特にマイグレーションが問題となる。なお両摺接パターン２３，２５には引出部１５に引き出される回路パターンが接続されているが、図ではその記載を省略している。
【００１９】
ケース３０は図３，図４に示すように上面が開放された略矩形箱型の成形樹脂製（この例ではＡＢＳ樹脂を用いているが、他の合成樹脂を用いても良い）のケース本体３１内に前記フレキシブル回路基板１０の基板本体部１３をインサート成形（一体成形）して構成されている。ケース本体３１には凹状の移動体収納部３３が設けられ、この移動体収納部３３の底面に前記フレキシブル回路基板１０の基板本体部１３に設けた一対の摺接パターン２３，２５を露出させている。移動体収納部３３は下記するスライド移動体７０をそのスライド移動方向Ａに向けてスライド自在に収納する形状（略矩形状）に形成されている。
【００２０】
この移動体収納部３３の底面に露出する前記一対の摺接パターン２３，２５の間のフレキシブル回路基板１０（基板本体部１１）表面に密着して両摺接パターン２３，２５間を仕切る略長方形状でスライド移動方向Ａに向けて延びる薄板状の仕切り部３５がケース３０と一体成形にて設けられている。この仕切り部３５は前記フレキシブル回路基板１０の基板本体部１３に設けた開口部１７を介して基板本体部１３の下面側のケース底面部３７と一体に連結され、これによって仕切り部３５の強度が保たれると共に、仕切り部３５は基板本体部１３の上面に確実に密着している。
【００２１】
仕切り部３５の表面（上面、カバー１２０側に対向する面）には、圧縮コイルバネ１００の外周側面を載置してガイドするガイド面（載置面でもある）３９が設けられている。ガイド面３９は移動体収納部３３内に収納された圧縮コイルバネ１００の略全長に亘る長さを有し、圧縮コイルバネ１００の圧縮方向（スライド移動方向Ａ）に垂直な面での断面が円弧状になるように形成されている。つまり圧縮コイルバネ１００の外周側面の円弧形状に合わせた円弧形状に形成されている。また仕切り部３５の一端（スライド移動体７０から離れる側の一端）はケース３０の内側壁に連結されており、連結された部分のケース３０の内側壁の面を、圧縮コイルバネ１００の一端部が当接するバネ受け面４１としている。また仕切り部３５のバネ受け面４１側の端部近傍のガイド面３９の左右両側部分からはカバー１２０方向（上方向）に向かって立設される一対の立設部４３が設けられ、これら立設部４３のスライド移動体７０側の側面をストッパー受け部４５としている。両立設部４３の間の凹部は、圧縮コイルバネ１００の一端部を収納するバネ端保持部４７となっている。また仕切り部３５の左右両側辺（スライド移動方向Ａを向いてその左右両側辺）は平行であり、下記するスライド移動体７０の一対のストッパー部７５，７５の対向する内側面をスライド自在にガイドするスライドガイド辺４８，４８となっている。つまりスライドガイド辺４８，４８の幅寸法は、一対のストッパー部７５，７５の対向する内側面間の離間寸法よりも若干小さい寸法に形成されている。
【００２２】
ケース３０の前記バネ受け面４１を設けた側壁の反対側の（対向する側の）側壁には、矩形状の切り欠きを設けることで、移動体露出部４９が形成されている。またケース３０の前記フレキシブル回路基板１０の引出部１５を引き出している側の側壁外側には、矩形板状に突出して引出部１５を載置する引出部載置部５７が設けられ、またケース３０の前記バネ受け面４１を設けた側壁外周からは、矩形板状に取付部５９が突出して設けられている。取付部５９の内部には円形に貫通する取付係合部（以下「取付穴」という）６１が設けられている。
【００２３】
またバネ受け面４１を設けた側壁の外側面と、その両側の側壁の外側面には、それぞれ下記するカバー１２０の各係止片１２３，１２５，１２７を挿入する係止片係合部６３，６５，６７が設けられている。係止片係合部６３はケース３０の側壁の外側面の凹状の部分から取付部５９に設けた貫通孔６９を介してケース底面部３７の凹状の部分に至るように設けられている。係止片係合部６５は凹状であってケース３０の側壁の外側面からケース底面部３７に至るように設けられている。係止片係合部６７はケース３０の側壁の外側面の凹状の部分から引出部載置部５７に設けた貫通孔６８を介してケース底面部３７の凹状の部分に至るように設けられている。貫通孔６９は前記フレキシブル回路基板１０の開口部１９内を貫通している。また貫通孔６８は前記フレキシブル回路基板１０の開口部２１内を貫通している。
【００２４】
図６はスライド移動体７０と摺動子９０とを分離して示す斜視図である。同図に示す摺動子９０は弾性金属板製（この例ではリン青銅板製であるが、他の材質のものを用いても良い）であり、細帯状の基部９１の一側辺の両端近傍部分から同一方向に向けて並列に（平行に）一対の摺動冊子９３，９３を突出して構成されている。摺動冊子９３，９３の先端近傍部分は下方向に屈曲させることで弾接部９５，９５となっている。
【００２５】
一方スライド移動体７０は合成樹脂製（この例ではＰＯＭ樹脂製であるが、他の各種合成樹脂を用いても良い）であり、図３，図４，図６に示すように平板状で略二等辺三角形状の移動体本体部７１と、移動体本体部７１の外周側辺の内の圧縮コイルバネ１００側を向く辺（二等辺三角形の底辺）の中央から突出する柱状の弾性部材挿入支持部（以下「バネ挿入支持部」という）７３と、バネ挿入支持部７３の両側位置（即ち圧縮コイルバネ１００を配置するその両側位置）からバネ挿入支持部７３と同一方向（即ち圧縮コイルバネ１００の圧縮方向）に向けて突出する一対のストッパー部７５，７５とを具備して構成されている。ストッパー部７５，７５は略矩形状の平板の平面を上下方向に向けた形状であり、その先端部（先端辺）は前記ケース３０のストッパー受け部４５に当接する当接部７７となっており、またその上下面はそれぞれカバー１２０とフレキシブル回路基板１０の面に当接して摺動する摺接面７９となっている。また移動体本体部７１の三角形状に突出している頂点を含む左右両辺全体（二等辺三角形の一対の斜辺部分）はこれに図示しない被検出物が当接する当接部８１となっている。また移動体本体部７１の圧縮コイルバネ１００側を向く辺（二等辺三角形の底辺）の左右両端部からそれぞれ小突起を突出することで当接部８１との間に段部を形成し、この段部の面をストッパー部８３としている。両ストッパー部８３，８３は前記ケース３０の移動体露出部４９の左右両端の側壁の内側面に当接することで、スライド移動体７０がケース３０の移動体露出部４９から抜け出ることを防止するものである。
【００２６】
そして摺動子９０はその基部９１がスライド移動体７０の内部にインサート成形され、その際一対の摺動冊子９３，９３がスライド移動体７０の一対のストッパー部７５，７５の外側部分からストッパー部７５と同一方向に向けて外部に突出する。
【００２７】
圧縮コイルバネ１００は図では円筒状に簡略化して記載しているが、実際は弾性線材（この例ではステンレスを用いているが、他の各種材質であっても良い）をコイル状に巻き回して形成されている。巻き回した弾性線材間は圧縮可能となるように所定の隙間を有している。
【００２８】
カバー１２０はこの実施形態では金属板製（この例ではステンレスを用いているが、他の各種材質を用いても良い）であり、略平板矩形状のカバー本体部１２１と、カバー本体部１２１の外周の三辺からそれぞれ略舌片状に突出する係止片１２３，１２５，１２７とを具備し、各係止片１２３，１２５，１２７をその根元部分で下方向に折り曲げて構成されている。係止片１２３はケース３０の係止片係合部６３に対向する位置に設けられ、係止片１２５は係止片係合部６５に対向する位置に設けられ、係止片１２７は係止片係合部６７に対向する位置に設けられている。
【００２９】
そして電子部品１を組み立てるには、スライド移動体７０のバネ挿入支持部７３を圧縮コイルバネ１００の中央の穴に挿入したものを、図７に示すようにケース３０の移動体収納部３３内に収納する。このとき圧縮コイルバネ１００はその一端がケース３０のバネ受け面４１に当接し、他端がスライド移動体７０に当接し、その外周側面が仕切り部３５（そのガイド面３９）上に載置され、これによってスライド移動体７０はケース３０内を移動体露出部４９を設けた側壁側に向けて弾発され、一対のストッパー部８３，８３がケース３０の移動体露出部４９両端の側壁の内面側に弾接すると共に、その当接部８１が移動体露出部４９の外部に露出（突出）する。このとき一対の摺動冊子９３，９３の弾接部９５，９５は何れの摺接パターン２３，２５にも当接しておらず、従ってスイッチはオフ状態である。またこのときスライド移動体７０の一対のストッパー部７５，７５間に仕切り部３５が嵌め込まれ、スライド移動体７０は仕切り部３５（その両スライドガイド辺４８，４８）にガイドされて直線方向であるスライド移動方向Ａに向かって直線状にスライド移動可能となっている。そして前記ケース３０の上にカバー１２０を被せ、カバー１２０の各係止片１２３，１２５，１２７をそれぞれケース３０の各係止片係合部６３，６５，６７に挿入してその先端をケース底面部３７側に折り曲げて取り付ける。これによって図１，図２に示す電子部品１が完成する。なお上記組立手順はその一例であり、他の各種異なる組立手順を用いて組み立てても良いことはいうまでもない。
【００３０】
以上のようにして組み立てられた電子部品１は、ケース３０と一体に設けられた取付部５９の部分が取付穴６１を用いて所望の部材に取り付けられる。そして電子部品１の移動体露出部４９から露出するスライド移動体７０の当接部８１に、図示しない被検出物が例えば図１に示す矢印Ｂ方向（スライド移動方向Ａと同じ方向）から移動してきて当接すると、スライド移動体７０は圧縮コイルバネ１００の弾発力に抗して移動体収納部３３内を圧縮コイルバネ１００を縮める方向にスライド移動する。このときまず一方の摺動冊子９３の弾接部９５が一方の摺接パターン２３に当接するが、この状態では今だスイッチはオフ状態である。さらにスライド移動体７０が矢印Ｂ方向にスライド移動していくと、もう一方の摺動冊子９３の弾接部９５も摺接パターン２５に当接し、これによって両摺接パターン２３，２５間が導通し、スイッチがオンする。スイッチがオン状態のままさらにもう少しスライド移動体７０を矢印Ｂ方向にスライド移動すると、スライド移動体７０の一対のストッパー部７５，７５の当接部７７，７７がケース３０の一対のストッパー受け部４５，４５に当接し、その移動が係止される。前記被検出物によるスライド移動体７０の押圧状態が解除されると、圧縮コイルバネ１００の弾発力によってスライド移動体７０は元の位置に直線状に自動復帰して行き、前記摺接パターン２５への弾接部９５の当接が解除された段階でスイッチはオフし、さらにスライド移動体７０は元の静止位置（図１，図２に示す位置）まで自動復帰する。なお摺動子９０と摺接パターン２３，２５とによって、スライド移動体７０のスライド移動によって電気的出力を変化する電気的機能部を構成している。
【００３１】
なおスライド移動体７０の当接部８１は左右対象となるように一対の傾斜面によって形成されているので、図１に示す矢印Ｂ方向のみでなく、これに直交する矢印Ｃ，Ｄ方向から押圧してもこのスライド移動体７０を矢印Ｂ方向にスライド移動させることができる。つまり当接部８１の形状をこの例のように形成すれば、スライド移動体７０を押圧する方向が種々変更してもこれに対応できるので好適である。
【００３２】
以上説明したように電子部品１は、摺動子９０を一体成形（インサート成形）してなるスライド移動体７０と、スライド移動体７０をスライド自在に収納する移動体収納部３３を有しこの移動体収納部３３の底面にフレキシブル回路基板１０の一対の摺接パターン２３，２５が露出するようにフレキシブル回路基板１０を一体成形（インサート成形）してなるケース３０と、スライド移動体７０から突出する一対の摺動冊子９３，９３の間に配置されこのスライド移動体７０とケース３０の移動体収納部３３の内側壁との間でスライド移動体７０を自動復帰位置方向に向けて弾発する圧縮コイルバネ１００と、ケース３０の移動体収納部３３を覆うカバー１２０とを具備して構成されている。そしてケース３０の移動体収納部３３の底面に露出する一対の摺接パターン２３，２５の間のフレキシブル回路基板１０表面に密着して両摺接パターン２３，２５間を仕切る仕切り部３５をケース３０と一体成形（ケース３０を成形する材料でケース３０と一体の部分として行う成形）にて設けたので、仕切り部３５によって確実に両摺接パターン２３，２５間が仕切られて両摺接パターン２３，２５間の沿面距離が長くなり、マイグレーションが防止できる。特に摺接パターン２３，２５の材料に銀を用いた場合は有効である。従って両摺接パターン２３，２５間の間隔を狭くできる。また圧縮コイルバネ１００をスライド移動体７０の両摺動冊子９３，９３の間に配置したので、圧縮コイルバネ１００によるスライド移動体７０の弾発が左右に偏ることなくバランス良く行え、従って例え圧縮コイルバネ１００の弾発力が弱くても確実にスライド移動体７０を自動復帰位置に自動復帰させることができる。さらに摺動子９０はスライド移動体７０に一体成形され、且つ摺接パターン２３，２５を設けたフレキシブル回路基板１０はケース３０に一体成形されているので、組み立ての際にズレが生じるのはケース３０とスライド移動体７０の間のみとなり、従って摺動子９０と摺接パターン２３，２５間にズレが生じにくくて精度の高い位置検出が可能となる。これらのことから電子部品１の小型化が図れる。なお上記実施形態においては、フレキシブル回路基板１０の両摺接パターン２３，２５の間に開口部１７，１９を設けているので、さらに両摺接パターン２３，２５間のマイグレーションが効果的に防止できる。
【００３３】
また電子部品１は、仕切り部３５に圧縮コイルバネ１００を載置しているので、ケース３０と一体に設けた仕切り部３５に、前記マイグレーション防止機能の他に、圧縮コイルバネ１００の載置機能を併せ持たせることができる。従って前述のように両摺接パターン２３，２５間の間隔を狭くでき、且つ圧縮コイルバネ１００（その外周側面）を載置して圧縮コイルバネ１００の伸縮をガイドすることができる。特にこの実施形態においては、載置面３９を凹状のガイド面３９としているので、圧縮コイルバネ１００の載置及び伸縮時のガイドがさらに確実に行える。
【００３４】
また電子部品１は、スライド移動体７０の圧縮コイルバネ１００を配置するその両側位置に圧縮コイルバネ１００の圧縮方向に向けて突出する一対のストッパー部７５，７５を設け、一方ケース３０の仕切り部３５の左右両側部分の一部にストッパー部７５，７５（その当接部７７，７７）に対向するストッパー受け部４５，４５を設けたので、ケース３０の仕切り部３５にさらにストッパーの機能を兼用させることができる。しかもストッパー部７５，７５は圧縮コイルバネ１００の両側に一対設けるのでバランスが良く、また一対なので強度も強く、例え電子部品１が小型化しても確実にスライド移動体７０の移動を係止できる。
【００３５】
また電子部品１は、ケース３０の仕切り部３５の左右両側辺を、スライド移動体７０の一対のストッパー部７５，７５間に嵌め込んでスライド移動体７０のスライド移動方向Ａへの移動をガイドするスライドガイド辺４８，４８としたので、仕切り部３５にさらにスライド移動体７０の移動をガイドする移動ガイド機能を兼用させることができる。
【００３６】
またケース３０に、ケース３０の外周から突出してその内部に取付穴６１を有する取付部５９を一体に成形したので、たとえこの電子部品１が極めて小さくても、簡単な構造で相手方の所望の部材に取付穴６１の部分を用いて正確に位置決めして取り付けることができる。従って図示しない被検出物が当接する位置に正確に電子部品１の当接部８１を設置でき、微小ストロークでもスライド移動体７０を正確に動作させることができる。なお電子部品に上記取付部５９を設けずに、例えば電子部品を相手方の所望の部材に半田リフローによって取り付ける場合は、半田リフロー時に電子部品の取付位置がずれるので、上記のように正確に位置決めして相手方の所望の部材に取り付けることはできない。
【００３７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では回路基板としてフレキシブル回路基板１０を用いたが、硬質の回路基板を用いても良い。また摺接パターン２３，２５はスイッチパターンに限定されず、例えば抵抗体パターンやその他の各種パターンであっても良い。また上記実施形態では弾性部材として圧縮コイルバネ１００を用いたが、例えば円筒形状のゴム材を用いる等、他の各種弾性部材を用いても良い。形状も必ずしも円筒形状でなくても良い。また上記実施形態では、スライド移動方向Ａを直線方向としたが、本発明は直線方向に限定されず、円弧方向等にスライド移動体７０をスライド移動させても良い。
【図面の簡単な説明】
【００３８】
【図１】電子部品１を上側から見た斜視図である。
【図２】電子部品１を下側から見た斜視図である。
【図３】電子部品１を上側から見た分解斜視図である。
【図４】電子部品１を下側から見た分解斜視図である。
【図５】フレキシブル回路基板１０の斜視図である。
【図６】スライド移動体７０と摺動子９０とを分離して示した斜視図である。
【図７】電子部品１の組立方法説明図である。
【符号の説明】
【００３９】
１  電子部品
１０  フレキシブル回路基板（回路基板）
２３，２５  摺接パターン
３０  ケース
３３  移動体収納部
３５  仕切り部
３９  ガイド面（載置面）
４１  バネ受け面
４３  立設部
４５  ストッパー受け部
４８  スライドガイド辺
５９  取付部
６１  取付穴（取付係合部）
７０  スライド移動体
７１  移動体本体部
７５  ストッパー部
７７  当接部
９０  摺動子
９３  摺動冊子
１００  圧縮コイルバネ（弾性部材）
１２０  カバー
【図１】
2009158305.tif 000003
【図２】
2009158305.tif 000004
【図３】
2009158305.tif 000005
【図４】
2009158305.tif 000006
【図５】
2009158305.tif 000007
【図６】
2009158305.tif 000008
【図７】
2009158305.tif 000009